(57)【要約】【課題】従来から、排塵処理装置は、扱室の排塵物を円滑に受け継ぐことと、その排塵物の脱粒処理を適確に行い、併せて排塵選別室において、排塵物中の混入穀粒を如何に適確に選別して回収するかが問題で、穀粒の三番飛散をなくして機外損失を解消することが課題となっている。【解決手段】この発明は、排塵処理胴１を、外径と軸芯とを同一にして、相互に逆方向に回転する前部処理胴１ａと後部処理胴１ｂとの二つから構成した。排塵処理室２の排塵口４を、脱穀機体３後部の排塵選別室５を隔てた吸引排塵室６の吸塵口７に対向して設けた。該吸引排塵室６には片側吸引式排塵機８を装備した。前記排塵口４には、後部処理胴１ｂを臨ませて構成した脱穀機の排塵処理装置としている。【選択図】図１
2006230245.tif 000002
【特許請求の範囲】
【請求項１】
脱穀後の排塵物を処理する排塵処理胴（１）を内装軸架した排塵処理室（２）を、脱穀機体（３）の一側に前後方向に沿わせて設け、前記排塵処理胴（１）は、外径と軸芯とを略同一にして、相互に逆方向に回転する前部処理胴（１ａ）と後部処理胴（１ｂ）との二つの胴から構成し、前記排塵処理室（２）の後部に開口した排塵口（４）は、脱穀機体（３）後部の排塵選別室（５）を隔てた他側の吸引排塵室（６）の吸塵口（７）に対向して設け、該吸引排塵室（６）には片側吸引式排塵機（８）を装備すると共に、前記排塵口（４）には、後部処理胴（１ｂ）を臨ませて構成した脱穀機の排塵処理装置。
【請求項２】
前記前部処理胴（１ａ）は、正面視において、扱胴（９）と同方向の時計回りに回転駆動する伝動構成とし、前記後部処理胴（１ｂ）は、前部処理胴（１ａ）とは逆に、反時計回りに駆動する構成とした請求項１に記載した脱穀機の排塵処理装置。
【請求項３】
前記後部処理胴（１ｂ）は、前記前部処理胴（１ａ）に比較して、同速か、又は高速で回転駆動する伝動構成とした請求項１、又は２に記載した脱穀機の排塵処理装置。
【請求項４】
前記後部処理胴（１ｂ）は、その外周面に、排塵物を排塵口（４）から排塵選別室（５）方向に排出する排出羽根（１０）を取り付けて構成した請求項１、乃至３のいずれかに記載した脱穀機の排塵処理装置。
【発明の詳細な説明】
【技術分野】
【０００１】
この発明は、外径を略同一に形成した前部処理胴と後部処理胴との二つの処理胴を、排塵処理室内に軸芯を同じくして軸架し、相互に逆転駆動する構成とした脱穀機の排塵処理装置に関する。
【背景技術】
【０００２】
従来からこの種の脱穀機は、穀稈挟持搬送装置で株元を挟持し、先端の穂部側を扱室に挿入して横送りしながら扱室内で回転している扱胴によって脱穀処理する構成となっている。そして、該脱穀機は、脱穀後の排塵物を排塵処理室に受け継がせて排塵処理し、混入している穀粒を排塵選別した後、吸引排塵機によって機外に排塵する構成としている。このような一連の排塵処理工程において、排塵物は、排塵処理室で充分な処理が行われた後、排塵選別室に放出されて適確に排塵選別が行われ、機外への穀粒の三番飛散を極力少なくすることが肝要で、機外損失を未然に防止することが望まれている。
【０００３】
そして、本件出願人は、出願人自身の出願に係る本件出願の先行技術として特開平８−３７９００号公報（特許文献１参照）を提示するが、該公報には、排塵処理胴から検出した負荷に応じて回転制御を行って、排塵処理作用の向上を図る技術が開示されている。該出願前公知の技術は、穀稈量が少ないときには、排塵処理胴の回転を適正に落して、脱っぷを防止し、騒音や振動を低く抑えることが可能であり、穀稈量が多いときには、回転を適正に増速制御して詰まり等を未然に防止しながら、排塵物の処理を効果的に行って、機外損失を防止できるものとなっている。
【特許文献１】特開平８−３７９００号公報
【発明の開示】
【発明が解決しようとする課題】
【０００４】
従来から、この種の脱穀機における排塵処理装置は、排塵処理室内で排塵物の脱粒処理（排塵物を充分にこなすこと）を適確に行うことと、併せて、排塵選別室において、排塵物中から穀粒を選別しながら回収した後、可能な限り藁屑のみを排塵物として吸引排塵機に吸引させて機外に排出することが大切で、これが従来から脱穀機の排塵処理に関する大きな課題となっている。
【課題を解決するための手段】
【０００５】
この出願は、上記課題を解決するために、請求項１に記載した発明は、脱穀後の排塵物を処理する排塵処理胴（１）を内装軸架した排塵処理室（２）を、脱穀機体（３）の一側に前後方向に沿わせて設け、前記排塵処理胴（１）は、外径と軸芯とを略同一にして、相互に逆方向に回転する前部処理胴（１ａ）と後部処理胴（１ｂ）との二つの胴から構成し、前記排塵処理室（２）の後部に開口した排塵口（４）は、脱穀機体（３）後部の排塵選別室（５）を隔てた他側の吸引排塵室（６）の吸塵口（７）に対向して設け、該吸引排塵室（６）には片側吸引式排塵機（８）を装備すると共に、前記排塵口（４）には、後部処理胴（１ｂ）を臨ませて構成した脱穀機の排塵処理装置であって、脱穀後の排塵物は、扱室（１３）から排塵処理室（２）に受け継がれて排塵処理作用を受け、排塵選別室（５）に放出される。この発明は、排塵処理胴（１）を外径と軸芯とを略同一にする前部処理胴（１ａ）と後部処理胴（１ｂ）との二つの処理胴を連続状に構成しているから、始端部側の前部処理胴（１ａ）では、前工程の扱室（１３）（扱胴）に合わせて排塵物の受け継ぎを適確に行いながら排塵処理を効果的に行える構成に主眼を置いて設計、製作することが可能であり、後部処理胴（１ｂ）は、排塵選別室（５），及び吸引排塵室（６）（片側吸引式排塵機（８））との関係を良好にするための条件に合わせて設計、製作することができる。
【０００６】
つぎに、請求項２に記載した発明は、  前記前部処理胴（１ａ）は、正面視において、扱胴（９）と同じ時計回りに回転駆動する伝動構成とし、前記後部処理胴（１ｂ）は、前部処理胴（１ａ）と逆の反時計回りに駆動する構成とした請求項１に記載した脱穀機の排塵処理装置であって、扱室から排出される排塵物は、連通口を通って排塵処理室（２）に受け継がれるとき、扱胴と前部処理胴（１ａ）とが同一方向に回転しているから、両者間の排塵物の受け継ぎが適確に行われる。そして、排塵処理室（２）の排塵物は、排塵口（４）から後部処理胴（１ｂ）によって排塵選別室（５）に放出されるとき、排塵選別室（５）内に、高く遠くに放り出されるように放出されて圧風唐箕（２６）から送られてくる選別風を受けて、空中で藁屑と穀粒とが選別分離され、片側吸引式排塵機（８）による吸引風を受けて藁屑が吸塵口（７）から吸引されて排塵物として機外に排塵される。
【０００７】
つぎに、請求項３に記載した発明は、前記後部処理胴（１ｂ）は、前記前部処理胴（１ａ）に比較して、同速か、又は高速で回転駆動する構成とした請求項１、又は２に記載した脱穀機の排塵処理装置であって、排塵処理室（２）内において、後部処理胴（１ｂ）は、前部処理胴（１ａ）から円滑に排塵物を受け継ぐことが可能であって、室（２）内での排塵物の停滞、詰まりの発生を未然に防止できるものとなっている。
【０００８】
つぎに、請求項４に記載した発明は、前記後部処理胴（１ｂ）は、その外周面に、排塵物を排塵口（４）から排塵選別室（５）方向に排出する排出羽根（１０）を取り付けて構成した請求項１、乃至３のいずれかに記載した脱穀機の排塵処理装置であって、排塵処理室（２）から排塵物を排塵選別室（５）側に放出するとき、排出羽根の回転作用を受けながら、跳ね飛ばされて排塵選別室（５）内の空中に放り上げられて、選別風による風選作用を受けて穀粒が下方の揺動選別棚（ストローラック）上に落下し、軽い藁屑は、吸塵口（７）に吸引されて機外に排塵される。
【発明の効果】
【０００９】
まず、請求項１に記載した発明は、排塵処理室（２）内に軸架した排塵処理胴（１）を二つの処理胴から構成しているから、始端部側の前部処理胴（１ａ）は、前工程の扱室（扱胴）に合わせて排塵物の受け継ぎを適確に行いながら排塵処理を効果的に行える優れた特徴がある。そして、後部処理胴（１ｂ）は、次工程の排塵選別室（５），及び吸引排塵室（６）（片側吸引式排塵機（８））との関係を良好にするための条件に合わせて構成することが可能であるから、排塵処理と、排塵選別とを適確に行って穀粒の三番飛散を減らして、機外損失を減らすことができる特徴を有するものである。
【００１０】
そして、請求項２に記載した発明は、扱室から排出される排塵物は、連通口を通って排塵処理室（２）に受け継がれるとき、扱胴と前部処理胴（１ａ）とが同一方向に回転しているから、脱穀後の排塵物の受け継ぎがきわめて円滑に行われ、停滞等がほとんど発生しない特徴がある。そして、排塵処理室（２）の排塵物は、排塵口（４）から後部処理胴（１ｂ）によって排塵選別室（５）に放出されるとき、排塵選別室（５）内に高く遠くに放り上げられるように放出されて選別風を空中で受けて適確に選別される特徴がある。そして、排塵物は、高く、遠くに飛ぶ藁屑類と、下方に落下する穀粒とに選別分離され、一方は片側吸引式排塵機（８）による吸引風を受けて吸塵口（７）に吸引され、他方が揺動選別棚上に落下して回収され、選別精度が高くなった特徴がある。
【００１１】
そして、請求項３に記載した発明は、排塵処理室（２）内において、後部処理胴（１ｂ）は、前部処理胴（１ａ）による処理工程で処理されながら、脱粒して穀粒が下方の選別室に漏下、取り除かれた残りの排塵物を、受け継ぐが、そのとき、前部処理胴（１ａ）に比較して同速か、又は高速で回転しているから、受継位置で排塵物が停滞することはほとんどなく、円滑に受け継がれる特徴がある。
【００１２】
このように、この発明は、排塵物を排塵処理室（２）内で前部から逆転の後部処理胴（１ｂ）に受け継ぐときの詰まりや停滞が起きない特徴がある。
そして、請求項４に記載した発明は、排塵処理室（２）の後部に達した排塵物を、排塵口（４）から排塵選別室（５）側に放出するとき、排出羽根（１０）の回転跳上げ作用によって跳ね飛ばし、排塵選別室（５）内の空中に高く、遠くに放出する特徴がある。したがって、排塵物は、排塵選別室の空中で選別風による風選作用を受けて効果的に選別され、混入していた穀粒が下方の揺動選別棚（ストローラック）上に落下し、軽い藁屑は、吸塵口（７）から排塵機（８）に吸引されて機外に排塵され、三番飛散を防止して、機外損失を未然に防止できる優れた特徴がある。
【発明を実施するための最良の形態】
【００１３】
この発明の主要部は、排塵処理装置であって、脱穀後の排塵物を処理する排塵処理胴１を、外径と軸芯とを略同一にして、相互に逆方向に回転する前部処理胴１ａと後部処理胴１ｂとの二つの胴から構成して排塵処理室２に内装軸架した。そして、排塵処理室２は、後部の排塵口４を、脱穀機体３後部にある排塵選別室５を隔てた他側の吸引排塵室６の吸塵口７に対向して設けている。そして、吸引排塵室６は、片側吸引式排塵機８を内装して装備すると共に、前記排塵口４には、前記した後部処理胴１ｂを臨ませて構成した脱穀機の排塵処理装置としている。
【００１４】
このように、排塵処理装置は、排塵処理室２内に前部処理胴１ａと後部処理胴１ｂの二つの処理胴をあたかも一個の如く軸架して構成し、排塵物の受け取り側を、扱胴９の回転に合わせて扱室１３からの排塵物の受け継ぎ作用が円滑にできるように構成し、排塵物の排出側を、排塵物の選別作用が良好にできるように排塵選別室５、及び吸引排塵室６側に合わせて構成したものであって、扱室１３からの排塵物の受け継ぎが円滑にできると共に、排塵選別を適確に行って穀粒の三番飛散をなくして機外損失を未然に防止する特徴がある。
【００１５】
以下、実施例を図面に基づいて具体的に説明する。
まず、脱穀機体３（以下、本件明細書では「脱穀機」全体を指すものとする。）は、図１、乃至図３に示すように、上側に扱室１３、及び二番処理室１４と排塵処理室２とを設け、下側に選別室１２を配置して構成している。そして、扱室１３は、図面に示すように、長手方向に軸架した扱胴軸１５に扱胴９を軸架して設け、扱胴９の前側には、穀稈の穂部側を扱室１３に挿入する扱口１６を長手方向に沿わせて開口した構成としている。そして、前記扱胴９は、従来から周知のとおり、外周に多数の扱歯１７，１７を設けるが、その場合、扱歯１７，１７に回転に伴って脱穀作用と脱穀物を扱室１３の下手側に送る送塵作用との機能を持たせるように配列した構成としている。
【００１６】
そして、穀稈挟持搬送装置１８は、図１、乃至図３に示すように、前記扱口１６の外側において、穀稈の搬送方向に沿わせて、上側に挟持杆１８ａと下側にフィードチエン１８ｂとを設け、穀稈の株元側を上下から挟持して穂先側を前記扱口１６から扱室１３内に挿入した状態で脱穀しながら搬送する構成としている。そして、排藁装置１９は、図１、及び図２に示すように、上記穀稈挟持搬送装置１８の搬送終端部から排藁を受け継いで後部の排藁カッター２０まで搬送して供給する構成としている。
【００１７】
そして、前記二番処理室１４と排塵処理室２とは、扱室１３の背後に長手方向に沿わせて設け、それぞれ二番処理胴２１と排塵処理胴１とを内装して軸架し、二番処理作用、及び排塵処理作用を行う構成としている。そして、前記選別室１２は、図２、及び図４に示すように、上側に揺動選別棚２２を脱穀機体３の前部、扱室１３の下方から後部の排塵選別室５にかけて吊持ち状態（案内レールとコロとによる摺動支持構成）に支持して揺動自由に構成している。そして、前記揺動選別棚２２は、図面に示すように、選別方向の上手側から移送棚２３、シーブ２４、ストローラック２５の順に設け、上側から落下してきた被選別物を揺動選別する構成としている。
【００１８】
そして、選別室１２は、図面に示すように、上記揺動選別棚２２の下方位置には、選別方向の上手側から圧風唐箕２６、一番移送螺旋２７、二番移送螺旋２８の順に軸架して設け、上記揺動選別棚２２と、圧風等箕２６から吹き込む選別風によって一番穀粒、二番物、排塵物とに選別分離して回収する構成としている。そして、一番穀粒は、図４に示すように、一番移送螺旋２７に流下した穀粒が、一側に収集されて一番揚穀装置３０によって、図示省略しているグレンタンクに貯留される構成としている。そして、二番物は、図５に示すように、二番移送螺旋２８で一側に集められて二番揚穀装置３１によって揚穀され、前記した二番処理室１４の始端部側（実施例では排塵処理室２に近い側）に還元される構成としている。
【００１９】
そして、前記排塵処理室２は、図１、図４、図５に示すように、脱穀機体３の一側で、前述のとおり扱室１３の背後に前後方向（長手方向）に沿わせて設けた構成としている。そして、前記排塵処理胴１は、図７、及び図８に示すように、前部処理胴１ａと後部処理胴１ｂとの外径をほとんど同径に形成した二つの胴から構成するが、前部処理胴１ａは、前部に小径の二番処理胴２１を一体に形成し、後部には連結支持軸３５を延長して、この連結支持軸３５に後部処理胴１ｂを、ベアリング３６を内装した軸受支持機構３７と連結具３８とによって回転自由に連結して支持し、外観上一個の如く構成している。
【００２０】
この場合、前部処理胴１ａは、図８に示すように、後縁部３９をパルジ加工によって膨らませて大径とし、その内側に後部処理胴１ｂの前縁部４０を差し込んで重合して連結状態に構成している。したがって、排塵処理胴１は、室２内を流動する排塵物が前部処理胴１ａから後部処理胴１ｂに円滑に受け継がれ、藁屑等が後縁部３９と前縁部４０との重合した接合部分から胴内に浸入することはほとんどない特徴がある。
【００２１】
そして、排塵処理胴１は、図１、図７、及び図８に示すように、前部処理胴１ａへの動力が、前側に一体とした前記二番処理胴２１に伝動ギヤケース４１の前部伝動軸４２を介して入力され、後部処理胴１ｂへの動力が、後部に固着した後部伝動軸４３にスプライン筒（カップリング部）４５を介して伝動される構成としている。なお、４６は後部入力プーリを示している。
【００２２】
そして、実施例の構成は、図８に示すように、前部処理胴１ａ側から後方に長く延長した前記連結支持軸３５を、後部処理胴１ｂ内に挿入させて、２箇所の軸受支持機構３７と連結具３８とによってその後部処理胴１ｂを軸受け支持した構成とし、更に、その連結支持軸３５を、前記後部伝動軸４３に接近する位置まで延長した構成としている。
【００２３】
そして、上記スプライン筒４５は、図８から解るように、分解、組み立て時には、後側から着脱する構成とし、スプラインの磨耗時等の部品交換が容易にできる構成を採用している。
【００２４】
以上のように、排塵処理胴１は、前部処理胴１ａの後部から延長した連結支持軸３５を利用して、軸受支持機構３７や連結具３８で強固に連結、支持したから、回転駆動中に両方の胴の振れが少なく、安定した回転ができる優れた利点がある。
【００２５】
更には、連結具３８は、既に説明したように、前後２箇所で軸受支持機構３７と後部処理胴１ｂの胴体とを連結しているから、軸芯と外径とが狂うことがなく、芯振れを防止し、安定した回転は勿論、耐久性も大幅に向上した効果がある。
【００２６】
このように構成した後部処理胴１ｂは、図５、図７、及び図８に示すように、後部から胴の前後幅の中央位置まで至る排出羽根１０を放射状に取り付けて排塵物を排塵口４から排塵選別室５内に跳ね上げながら飛ばす構成としている。
【００２７】
そして、前記排塵処理室２は、図面に示すように、その後部に開口した排塵口４を、脱穀機体３後部の排塵選別室５を隔てた他側の吸引排塵室６の吸塵口７に対向して設けた構成としている。そして、吸引排塵室６は、図２、及び図５から解るように、片側吸引式排塵機８を装備し、前記吸塵口７から吸引した排塵物を、排塵筒４８によって機外に排塵する構成としている。
【００２８】
つぎに、伝動機構の概略を、図６に基づいて説明する。
まず、エンジン５０は、図６に示すように、出力軸５１から回転動力を走行側と脱穀側とに分けて伝動するが、走行側は静油圧式無段変速装置５２を経由して走行ミッション装置５３側に伝動する経路とし、脱穀側は圧風唐箕２６を軸着した唐箕軸５４を経由して脱穀機体３側に伝動する経路として構成している。そして、既に説明した伝動ギヤケース４１は、図６に示すように、上記唐箕軸５４からベルトを介して入力され、その回転動力を二番処理胴２１と扱胴９とに分配伝動する構成としている。そして、排塵処理胴１は、既に説明し、図６、及び図７にも示すように、上記二番処理胴２１と一体構成の前部処理胴１ａが、同時に伝動される構成となっている。
【００２９】
そして、後部処理胴１ｂは、図６に示すように、二番移送螺旋（軸）２８からカウンタギヤケース５５を経由してベルト伝動で後部入力プーリ４６に入力される構成としている。
【００３０】
このように、排塵処理胴１は、図６、及び図１０に示すように、前部処理胴１ａを二番処理胴２１と一体として前側から入力し、後部処理胴１ｂを後ろ側の後部入力プーリ４６から入力して、両胴間で回転方向を逆回転する構成としている。
【００３１】
そして、排塵処理胴１の前部処理胴１ａは、回転方向を扱胴９に合わせて同じ方向に回転する構成とし、後部処理胴１ｂは、前部処理胴１ａとは逆回転する構成としている。更に、具体的に説明すると、前記前部処理胴１ａは、図９の正面視に矢印で示すように、扱胴９と同じ時計回りに回転駆動する構成としており、前記後部処理胴１ｂは、図５に矢印で示すように、前部処理胴１ａとは逆に、反時計回りに駆動する構成としている。
【００３２】
そして、上記後部処理胴１ｂは、実施例の場合、前部処理胴１ａに比較して、高速度で回転駆動する構成としているが、少なくとも同速か、或いはそれより速く回転駆動する構成にすればよい。
【００３３】
そして、排塵処理胴１は、図９に示すように、扱室１３と排塵処理室２との連通口５７に臨む前部処理胴１ａの始端部に設けた螺旋状の掻込輪５８（図７参照）が排塵物を受け継ぐ構成としている。
【００３４】
このように構成された排塵処理胴１は、前部処理胴１ａが扱胴９と同方向に回転しているから、扱室１３内の排塵物を排塵処理室２に円滑に受け継ぎができる特徴がある。そして、排塵処理胴１は、排塵処理室２の内部において、前部処理胴１ａが排塵物をこなしながら送り、停滞させることはないが、特に、前部処理胴１ａの終端部分では、後部処理胴１ｂの方が高速で回転しているから、排塵物の受け継ぎがきわめて円滑に行われ、停滞等の発生はほとんどなく、きわめて適確に排塵物の処理ができる。
【００３５】
そして、前記伝動ギヤケース４１は、図１（図１０参照）に示すように、平面視で脱穀機体３を構成する前板６０より機体の内側に入り込んだ構成として、前側への突出部分を短く構成している。したがって、脱穀機体３は、前側の利用空間が拡大できてエンジン関連機器の配置が整然とできる利点があり、エンジン５０から発生する熱気などの排気スペースが取り易くなる利点がある。
【００３６】
そして、上記伝動ギヤケース４１は、図１に示すように、二番処理胴４１と扱胴９とに回転動力を分配して伝動する機構について説明したが、この場合、二番処理胴４１と扱胴９とは、作業時の回転数の差を大きく設けていないから、減速比を大きくとる必要がなく、分岐する伝動経路としては合理的な構成になっている。更に、後部処理胴１ｂの伝動機構は、図１に示すように、処理胴１ｂを脱穀機体３の右側に装置しており、二番移送螺旋２８、及び二番揚穀装置３１の伝動も右にあるから、両者間の伝動経路が短い経路で伝動可能で安価に製作できる特徴がある。
【００３７】
そして、実施例の場合、後部処理胴１ｂの後部入力プーリ４６は、図１（図１０参照）に示すように、脱穀機体３の後部位置に配置する構成を採用したから、処理胴１bを長く形成することが可能となる利点がある。そして、後部入力プーリ４６は、排藁カッター２０の内部まで張り出した構成を避けることにより、切り藁が障害になることのない特徴がある。
【００３８】
つぎに、排塵選別室５とそれに関連する周辺構成を説明する。
まず、排塵選別室５は、図１１、乃至図１３に示すように、脱穀機体３の後部で揺動選別棚２２の後部に位置するストローラック２５の上方に形成されている。そして、排塵選別室５は、機体一側にある排塵処理室２の後部で、後部処理胴１ｂに対応させて機体中心側に向けて開口した排塵口４と、これに対向して設けられている機体の他側にある片側吸引式排塵機８を内装軸架した吸引排塵室６の吸塵口７との間に形成されている。
【００３９】
そして、排塵選別室５は、上記した実施例の場合、排塵処理室２の排塵口４と、吸引排塵室６の吸塵口７とが側面視（図１２参照）において一致した構成としている。そして、排塵選別室５は、上方位置には、全幅に渡って覆うようにケーシング６５を設けて構成している。そして、前記片側吸引式排塵機８は、図１２において、穀稈挟持搬送装置１８側から見て反時計回りに回転する伝動構成とし、排塵物を排塵筒４８から機外に排塵できる構成としている。
【００４０】
このように構成された排塵選別室５は、図５に示すように、後部処理胴１ｂが矢印の方向（反時計回り）に回転して排出羽根１０によって排塵物を中央に向けて高く跳ね上げ、圧風唐箕２６から吹いている選別風を受けて排塵選別が行われている。そのとき、排塵選別室５内には、上記選別風に加えて、片側吸引式排塵機８が、反時計回り（図１２参照）に回転して吸塵口７から塵埃を吸塵しているため、反時計方向の渦流が発生している。したがって、排塵物は、排塵選別室５の中空上で風選作用を受けながら比重の重い穀粒が下方のストローラック２５上の前寄り（前記渦流作用を受けるため）の位置に落下して選別されて二番側に回収され、一方、軽い藁屑等の排塵物は、渦流状態に吹いている吸塵風を受けて、反対側の吸塵口７から吸塵作用を受け、吸引排塵室６に達することになる。このとき、藁屑等の排塵物は、上方が囲われた状態に全幅に渡って設けられているケーシング６５に誘導されて吸塵口７から吸引排塵室６に吸塵され、排塵筒４８から機外に排塵される。
【００４１】
この実施例は、上述のとおり、比重の重い穀粒は、ストローラック２５の前寄りに落下するから、穀粒回収率が高くなり、機外損失が大幅に減少した効果がある。
つぎに、排塵処理室２を構成している格子状受網６２、及び排塵ガイド６３について、排塵処理胴１との関連で構成と作用・効果を説明する。
【００４２】
まず、排塵処理室２は、図１４、及び図１５に示すように、前部処理胴１ａの掻込輪５８に対応する部位に、既に説明した扱室１３との連通口５７が開口し、前部処理胴１ａの処理歯６４に対応する処理部分には、格子状受網６２を張設しており、後部処理胴１ｂに対応する部位には、上記受網６２に連続する排塵ガイド６３と排塵口４を開口して構成している。この場合、格子状受網６２は、図面に示すように、扱胴９と同方向に回転する前部処理胴１ａに対応させて設け、逆回転する後部処理胴１ｂに対応させて上述のとおり排塵ガイド６３と排塵口４とを設け、図１５に示すように、回転方向が切換わる境目の部位（前部処理胴１ａの後縁部３９）には、外側に受網６２を設けない構成とした。
【００４３】
以上のように構成した排塵処理室２は、前部処理胴１ａと後部処理胴１ｂとの回転方向が切換わる境目の部位には、通常、処理物が停滞し易いと思われるが、この実施例は、上記説明のとおり、境目の部位には外側に受網６２がないために排塵物の停滞はほとんどなく、後部処理胴１ｂ側に受け継がれる。そして、排塵ガイド６３は、後部処理胴１ｂの回転に沿わせて下側に半円状に設けているから、処理胴１ｂによって持ち回られている排塵物を案内して、排出羽根１０も関与して排塵口４から排塵選別室５に高く跳ね飛ばすことができる。
【００４４】
つぎに、処理歯６４は、図１６に示すように、回転方向に対して左右対称形状に形成し、正転する前部処理胴１ａと逆転する後部処理胴１ｂとにそれぞれ共用部品として取り付け、回転方向が逆でも同一の処理作用ができる構成としている。そして、該処理歯６４は、排塵物の持ち回りが少なくて巻き付きがなくなり、消費馬力が少ない点に特徴がある。
【００４５】
そして、図１７に示す別実施例は、前部処理胴１ａに取り付けた場合（時計回り回転）、後退角を少なくして、持ち回り回転を増加させて排塵処理を促進する構成とし、後部処理胴１ｂに取り付けると（反時計回り回転）、後退角度をつけて持ち回りを少なくして，早く排塵処理室２排出するようにしている。
【００４６】
上述した二つの処理歯６４は、それぞれ特徴があり、どちらを使用するも自由であるが、要するに、正・逆転する前部処理胴１ａと後部処理胴１ｂとに共用部品として両方に使用できる特徴がある。
【００４７】
つぎに、二番処理胴２１、及び排塵処理胴１の着脱構成について、図１８、乃至図２０に基づいて説明する。
既に説明したとおり、排塵処理胴１は、前部処理胴１ａと後部処理胴１ｂとが相互に逆転可能でありながら一体に構成しており、更に、前部に二番処理胴２１を一体に連結した構成にしている。そして、排塵処理胴１は、図１８、及び図１９から解るように、前部の二番処理胴２１を、伝動ギヤケース４１から突出した前部伝動軸４２に、伝動連結具６６を介してスプライン嵌合して着脱可能に設け、後部を、後部伝動軸４３とスプライン筒４５とによって着脱自由に構成している。
【００４８】
そして、排塵処理胴１は、図２０に示すように、脱穀機体３の後部に装着している排藁カッター２０を、側部の枢着部を回動支点にして後方へ開放した後、後方に引き出すことができる構成としている。この場合、後部伝動軸４３は、図１９に示すように、機体側に残しても、又は図２０に示すように、取付板６７（後部伝動軸４３と後部入力プーリー４６と供に）と供に取り外すことができる構成にしている。
【００４９】
このように、排塵処理室２、及び二番処理室１４は、内部に装備している排塵処理胴１と二番処理胴２１とを一体として脱穀機体３から後方へ引き出しながら取り外しができるから、室内に処理物等の詰まりが発生したときや、その他清掃、メンテナンスを比較的楽に行うことができる特徴がある。
【００５０】
つぎに、実施例における後部処理胴１ｂの伝動機構に関して、具体的な構成を説明する。
既に、本件脱穀機体３の伝動機構については、図６に基づいて概略の説明をし、後部処理胴１ｂは、二番移送螺旋（軸）２８から動力を取り出してベルト伝動でカウンタギヤケース５５に伝動し、更に、該カウンタギヤケース５５からベベルギヤによって伝動方向を変更し、ベルト伝動で後部入力プーリ４６に入力して伝動する構成を説明した。
【００５１】
そして、上記実施例のカウンタギヤケース５５は、図２１、乃至図２３に示すように、機体上部の機枠間に左右横方向に連結した支持フレーム７０から取付フレーム７１を下側に延長して固定具７２にねじにより吊り下げて支持した構成としている。したがって、カウンタギヤケース５５は、強固に支持されており、安定した伝動を行うことができると供に、耐久性に優れた装置となっている。
【００５２】
そして、処理胴後方側板７３は、図２３、及び図２４に示すように、排塵処理室２の後方において、前記後部入力プーリ４６を上側、横側、後ろ側をカバーしており、更に、その背後に、図２３と図２４に示すように、リヤカバー７５を設けて構成している。
【００５３】
このように、処理胴後方側板７３は、後部入力プーリ４６への藁屑等の侵入を防ぎ障害なく安全に伝動できるように保護している。そして、リヤカバー７５は、排藁カッター２０が切断した藁が前側に移動するのを防止して、上述の伝動経路中に侵入するのを阻止できるものとしている。
【００５４】
つぎに、後部処理胴１ｂの変速機構について図面に基づき具体的に説明する。
まず、変速装置７６は、図２４、及び図２５に示すように、二番移送螺旋（軸）２８のプーリー７７からベルト７８で伝動される前記カウンタギヤケース５５に軸架した変速割りプーリ７９との間に構成されている。そして、該変速割りプーリー７９は、図面に示すように、制御モータ８０からピニオンギヤ８１、ラックギヤ８２、アーム８３、操作ロット８４を介してカム８５に沿って拡縮され変速制御される構成としている。８６はテンションプーリを示している。
【００５５】
そして、上記制御モータ８０は、図２６に示すように、運転操作位置に設けている主変速レバー８８（既に説明した「静油圧式無段変速装置５２」の操作レバーでニュトラル位置を基準にして、図２６で左に傾け操作すれば後進走行、右に操作すれば前進走行になり、傾倒度が大きくなるに従って高速走行に変速する。）の基部にホテンショメータ８９に作動アーム９０と受動アーム９１とを介して操作力を伝達可能に構成している。この場合、上記ポテンショメータ８９は、図示しない制御手段（ＣＰＵ）に接続し、該制御手段から出力される制御信号に基づいて前記制御モータ８０が変速制御される構成としている。
【００５６】
このように構成すると、後部処理胴１ｂは、コンバインの走行速度にシンクロした速度に変速され、コンバインの作業能率（刈取穀稈量）に対応した適正な処理能力（回転速度）になって、排塵物を適確に処理する特徴がある。そのため、後部処理胴１ｂは、回転不足で処理不充分で排塵したり、逆に詰まったり、或いは、回転過多で損傷粒が出たり、振動が増大する等の弊害がおきる事はない。
【００５７】
実施例は、図２７のグラフに示すように、前記主変速レバー８８を前進走行ゾーンで変速操作するときのみに制御モータ８０が変速され、ニュトラル位置・後進走行時には、予め設定された一定速度を保つ構成となっている。なお、脱穀機体３は、図２７のグラフから解るように、走行速度にシンクロさせて変速する構成は取らず、走行変速に関わらず一定の回転速度で駆動されている。
【００５８】
通常、脱穀作業中、後部処理胴１ｂは、悪条件（濡れ扱ぎで湿材が多いとき、実入りが悪く藁屑が極端に多く発生する稲等）や、処理量が急激に増加したりすると、排塵処理室２の後部に負担がかかり、詰まりの発生や処理不充分で排塵選別室５に排塵することが多い。したがって、後部処理胴１ｂは、上記の如く排塵物が多く発生すると、変速装置７６によって増速側に制御して処理能力を増大しながら解消することが効果的である。
【００５９】
上記変速装置７６は、変速割りプーリー７９と制御機構とを組み合わせているから、無段階の変速が可能であり、安価でコンパクトに製作できる利点もある。
そして、後部処理胴１ｂの変速制御装置は、更に、圃場の実態に合わせた変速制御にするためには、雨等に濡れた湿材に対応する超高速域までの変速が必要になる。そのために、実施例は、標準的変速幅と、その上に高速域まで変速できる変速幅との二段階に分けてモードの切換で選択可能に構成にすることが有効である。
【００６０】
すなわち、後部処理胴１ｂの変速制御装置は、標準変速モードと高速変速（又は湿材変速）モードとの二つの変速モードを構成し、予め、モード設定をして作業を開始する構成にする。例えば、標準的条件の揃った圃場は、標準変速モードを設定して収穫作業を行うと、後部処理胴１ｂは、圃場条件に合った回転速度が選択できるから効果的に脱穀作業ができる。そして、後部処理胴１ｂは、例えば雨で濡れた圃場の収穫作業時には、予め、高速変速モードを設定して作業を開始すると、圃場の濡れ具合に応じて変速範囲が高速側で選択ができるから、最適の高速側に変速が行われて湿材を処理することができる。
【００６１】
なお、モード切替スイッチは、操縦位置に設ければよい。
【図面の簡単な説明】
【００６２】
【図１】脱穀機の内部平面図
【図２】脱穀機の内部側面図
【図３】脱穀機の正面図
【図４】図２のＳ1−Ｓ1の断面図
【図５】図２のＳ2−Ｓ2の断面図
【図６】伝動機構図
【図７】一部破断した処理胴の平面図
【図８】一部破断した処理胴の側面図
【図９】図２のＳ3−Ｓ3の断面図
【図１０】脱穀機の内部側面図
【図１１】脱穀機の内部平面図
【図１２】脱穀機の内部側面図
【図１３】脱穀機の内部背面図
【図１４】脱穀機の内部平面図
【図１５】脱穀機の内部側面図
【図１６】排塵処理胴の側面図
【図１７】排塵処理胴の側面図
【図１８】処理胴の一部破断した平面図
【図１９】処理胴の一部破断した側面図
【図２０】作用平面図
【図２１】脱穀機の内部平面図
【図２２】脱穀機の切断正面図
【図２３】脱穀機の切断背面図
【図２４】脱穀機の内部側面図
【図２５】脱穀機の切断正面図
【図２６】主変速レバーの側面図
【図２７】車速と排塵処理胴との回転数を示すグラフ。
【符号の説明】
【００６３】
１    排塵処理胴                    １a  前部処理胴
１ｂ  後部処理胴                    ２    排塵処理室
３    脱穀機体                      ４    排塵口
５    排塵選別室                    ６    吸引排塵室
６    吸塵口                        ８    片側吸引式排塵着
９    扱胴                          １０  排出羽根。
【図１】
2006230245.tif 000003
【図２】
2006230245.tif 000004
【図３】
2006230245.tif 000005
【図４】
2006230245.tif 000006
【図５】
2006230245.tif 000007
【図６】
2006230245.tif 000008
【図７】
2006230245.tif 000009
【図８】
2006230245.tif 000010
【図９】
2006230245.tif 000011
【図１０】
2006230245.tif 000012
【図１１】
2006230245.tif 000013
【図１２】
2006230245.tif 000014
【図１３】
2006230245.tif 000015
【図１４】
2006230245.tif 000016
【図１５】
2006230245.tif 000017
【図１６】
2006230245.tif 000018
【図１７】
2006230245.tif 000019
【図１８】
2006230245.tif 000020
【図１９】
2006230245.tif 000021
【図２０】
2006230245.tif 000022
【図２１】
2006230245.tif 000023
【図２２】
2006230245.tif 000024
【図２３】
2006230245.tif 000025
【図２４】
2006230245.tif 000026
【図２５】
2006230245.tif 000027
【図２６】
2006230245.tif 000028
【図２７】
2006230245.tif 000029